(57)【要約】【課題】ゴルフボールを安定した状態でしっかりと支持でき、ゴルフボールの打撃により跳ね飛ばされて紛失してしまうのを防止する。【解決手段】周面に突起５を備えた地面Ｇへの突き刺し部２に、可撓性を有する先端フランジ部３ａ付の連結部材３を一体となして設ける。連結部材３に沿ってスライド可能とし且つ先端フランジ部３ａ位置で当接係止する段部４ａを内側に設けたボール載せ部４を連結部材３に装着する。ゴルフボールＢを浮いた状態で支持するよう可撓性の支持片４ｂを一体的に平面視放射状に複数にしてボール載せ部４上部に設ける。またボール載せ部４の支持片４ｂの内側でゴルフボールＢを支持可能とする可撓性の内側支持片３ｂを連結部材３の先端フランジ部３ａの上部に一体的に平面視放射状に複数設ける。【選択図】図３
2007301267.tif 000002
【特許請求の範囲】
【請求項１】
地面への突き刺し部と、該突き刺し部に一体となって設けられた可撓性を有する先端フランジ部付の連結部材と、該連結部材に沿ってスライド可能にされるよう挿通孔が、且つスライド上端位置の連結部材の先端フランジ部に係止当接可能な段部がそれぞれ形成され、ゴルフボールを浮かせた状態で支持するよう可撓性の支持片が上部に一体的に平面視放射状に複数設けられたボール載せ部とを備えて成り、前記連結部材の先端フランジ部の上部には、ゴルフボールをボール載せ部の支持片の内側で支持可能とする可撓性の内側支持片を一体的に平面視放射状に複数設けたことを特徴とするゴルフティー。
【請求項２】
突き刺し部の周面には、突き刺し部を地面から抜脱不能とするよう楔状、スクリュー状、円錐状の突起を有する請求項１記載のゴルフティー。
【発明の詳細な説明】
【技術分野】
【０００１】
本発明は、ゴルフボールをティーショットする際に使用され、ゴルフボールをソフトな状態で支持して打球時には抵抗なく打ち出せるようにさせるゴルフティーに関する。
【背景技術】
【０００２】
従来から、この種のゴルフティーとして、特許文献１に開示されているように、ティーショットの際のティーによる抵抗を緩和してボールの飛距離を伸ばすために、上面がゴルフボールを載せる凹み載せ面となり、下面中央に差込み穴を有する受け台と、該受け台の差込み穴に差し込まれティーショットの際の衝撃で折れてしまう程度の強度の細軸とによって構成されるゴルフ用ティーが存在する。
【０００３】
また、特許文献２に開示されているように、ゴルフのトレーニング中にプレイヤーがショットをした際にティーが飛ぶことがないように、ティーをグランドにしっかりとかつ簡単に突き刺すことができるティーとして、グランドに突き刺す堅固な下方部分と、該部分に対して可動し、ゴルフボールを支持するサポートを有するようグランドから突き出た可動する柔軟な上方部分とから構成されているゴルフティーが存在する。
【０００４】
また、特許文献３に開示されているように、ゴルフティーにおいて、インパクトの抵抗を少なくして容易に飛距離を伸ばすことができると共にボールの方向性を良好し、さらにゴルフティーの紛失および破損を少なくするために、ゴルフボールが乗せられる台座部と地中に差し込まれ台座部を支持する差し込み部とを連結部材でフレキシブルに連結する。そして、台座部には差し込み部と同一方向に延びる空洞部が形成されており、連結部材は空洞部方向に延び空洞部に対して進退自在となっており、空洞部には連結部材を係止する係止部が配設されている。連結部材は、空洞部方向に延びる強化軟質ゴムパイプ体であり、台座部は強化軟質ゴム製であり、また差し込み部は強化硬質プラスチック製である。連結部材にはその延在方向に延びる溝を形成したり、台座部にはゴルフボールの球面と同様の曲面を有する凹部を形成したりしているゴルフティーが存在する。
【０００５】
また、特許文献４に開示されているように、ゴルフのティーショットの際の感覚を損なうことなく、しかもクラブヘッドで強打された場合にも破壊されたり、抜地飛去したりすることのないゴルフティーとして、同軸上に組み合わされた上部材と中部材と下部材とでもってゴルフティーの主要部を構成し、上部材と中部材の軸孔に強ゴム条を挿入してその上端を上方に突出させ、ゴム条の突出上端にはワッシャーを固定して上部材と中部材とを連結し、中部材の軸孔には下部材の上端を挿入接着する可撓性ゴルフティーが存在する。  
【０００６】
また、特許文献５に開示されているように、軽快なショットを確保しつつ、ショット時の破損を防ぐことができるゴルフティーとして、筒状の本体と、差込部が下端部に形成されている差込ピン体と、下端部が差込ピン体に固定され、上端部が本体に相対移動可能に挿通されている連結ピンと、本体の内部に配置され、差込ピン体に結合する方向に本体を付勢するスプリングとを備え、ゴルフボールを打撃した瞬間に本体は差込ピン体から離れ、差込ピン体に対してゴルフボールの進行方向に折れ曲り、その後、本体は弾性を有する連結ピンおよびスプリングの復元力により、差込ピンの上部に係合した状態に戻るものとしたゴルフティーが存在する。
【０００７】
また、特許文献６に開示されているように、ゴルフボールをしっかりと安定した状態で支持でき且つ支持高さも一定にできるゴルフティーとして、地中に差し込む基部、柔軟性のある芯材および本体の３部品から構成され、芯材は、一端に基部上端に着脱自在に嵌り合う連結部を有し、他端に拡径部を有しており、本体は、芯材の拡径部を包囲して、この拡径部を長手方向にスライド可能に収容する筒型中間部と、この筒型中間部の基部側に設けられ基部上端に対して自在継ぎ手を形成する連結部と、筒型中間部の基部の反対側に設けられ、ゴルフボールを支持する受皿部とをそれぞれ備え、本体と基部とが自在継ぎ手により連結され、本体の向きを自由に変えられるようにしたゴルフティーが存在する。
【特許文献１】特開２００１−１３７４１０号公報
【特許文献２】特開２００１−６２０１７号公報
【特許文献３】特開２００１−２８６５８９号公報
【特許文献４】特開２００２−６５９１７号公報
【特許文献５】特開２００３−２７５３５６号公報
【特許文献６】登録実用新案第３１０５４６８号公報
【発明の開示】
【発明が解決しようとする課題】
【０００８】
すなわち、以上のような従来のゴルフティーにおいては、ゴルフティー自体にゴルフボールを載せて打ったときにゴルフティーとボールとの摩擦や打撃の抵抗を少なくするために、ボールを浮かせた状態で支持するようになっている。ただ、クラブヘッドが当たった瞬間には非常に大きな（約１トン近い）衝撃がボール等に加わるため、ゴルフティー自体にその衝撃が当たるとこれの付け根部分が破壊されてしまい、ボールを載せた部分が離脱し紛失しまう虞れもある。また、ゴルフティー上部が柔軟なものは、ティーショット時のゴルフボールの支持が不安定になるため、意図する方向にゴルフボールを飛ばすことができないし、軽快な打撃がなされないものとなるという問題点を有していた。
【０００９】
そこで、本発明は叙上のような従来存した諸事情に鑑み創出されたもので、ゴルフボールを安定した状態でしっかりと支持でき、クラブを使ってのゴルフボールの打撃によりゴルフティーがその付け根部分で破壊されたり、ゴルフティー自体が地面から引き抜かれて跳ね飛ばされ、紛失してしまったりするのを防止できるゴルフティーを提供することを目的とする。
【課題を解決するための手段】
【００１０】
上述した課題を解決するため、本発明にあっては、地面Ｇへの突き刺し部２と、該突き刺し部２に一体となって設けられた可撓性を有する先端フランジ部３ａ付の連結部材３と、該連結部材３に沿ってスライド可能にされるように挿通孔４ｃが、且つスライド上端位置の連結部材３の先端フランジ部３ａに係止当接可能な段部４ａがそれぞれ形成され、ゴルフボールＢを浮かせた状態で支持するよう可撓性の支持片４ｂが上部に一体的に平面視放射状に複数設けられたボール載せ部４とを備えて成り、前記連結部材３の先端フランジ部３ａの上部には、ゴルフボールＢをボール載せ部４の支持片４ｂの内側で支持可能とする可撓性の内側支持片３ｂを一体的に平面視放射状に複数設けて成るゴルフティー１とする。
また、突き刺し部２の周面には、突き刺し部２を地面Ｇから抜脱不能とするよう楔状、スクリュー状、円錐状の突起５を有する構成とすることができる。
【００１１】
以上のように構成された本発明に係るゴルフティー１にあって、ボール載せ部４の支持片４ｂ、連結部材３の内側支持片３ｂは、ゴルフボールＢをボール載せ部４、連結部材３それぞれから浮かせた状態で支持させ、ゴルフボールＢを打った際のゴルフティー１とゴルフボールＢとの摩擦や打撃抵抗を低減させる。
また、ティーショットの際には、クラブＫを使ってのゴルフボールＢの打撃により連結部材３が撓曲されながらボール載せ部４が当該連結部材３に沿ってスライドされ、連結部材３の先端フランジ部３ａをボール載せ部４の段部４ａに係止させる。
突き刺し部２の周面に突設されている楔状、スクリュー状、円錐状の突起５は、地面Ｇに突き刺した際に、当該突き刺し部２の抜脱を不能ないしは困難にさせる。
【発明の効果】
【００１２】
本発明によれば、ティーショットに際しゴルフボールＢを安定した状態でしっかりと支持でき、ゴルフボールＢへの打撃によりゴルフティー１がその付け根部分で破壊されたり、ゴルフティー１自体が地面Ｇから引き抜かれて跳ね飛ばされ、紛失してしまったりするのを防止できる。
【００１３】
すなわち、これは本発明が、連結部材３の先端フランジ部３ａの上部に一体的に平面視放射状に複数設けられ、ゴルフボールＢをボール載せ部４の支持片４ｂの内側で支持可能とする可撓性の内側支持片３ｂを備えたからであり、これにより、ボール載せ部４の支持片４ｂに加えて連結部材３の内側支持片３ｂによりゴルフボールＢを安定した状態でしっかりと支持することができる。
【００１４】
しかも、ボール載せ部４の支持片４ｂ及び連結部材３の内側支持片３ｂの両者でゴルフボールｂを安定した状態でしっかりと支持していても、ティーショットの際には、ボール載せ部４がスライド上昇して支持片４ｂのみによる支持となることで、ゴルフティー１による接触抵抗等を緩和してゴルフボールＢの飛距離を従来よりも一層効果的に伸ばすことができる。
【００１５】
また、突き刺し部２の周面には、突き刺し部２を地面Ｇから抜脱不能とするよう楔状、スクリュー状、円錐状の突起５を有するので、クラブＫを使ってのゴルフボールＢへの打撃によりゴルフティー１自体が地面Ｇから引き抜かれて跳ね飛ばされ、紛失してしまうのを未然に防止できる。
【００１６】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１７】
以下、図面を参照して本発明を実施するための最良の一形態を説明する。図において示される符号１は、ゴルフボールＢをティーショットする際に使用するゴルフティーであり、該ゴルフティー１は、図３に示すように、突き刺し部２とボール載せ部４とが可撓性のある連結部材３で、突き刺し部２に対してボール載せ部４が分離上昇可能にして連結されている。
【００１８】
突き刺し部２は、好ましくは硬くて高強度の汎用性合成樹脂、例えばポリプロピレン樹脂やポリカーボネイト樹脂等で形成する。そして、突き刺し部２の周面には、当該突き刺し部２を地面Ｇから抜脱不能とするよう突起５を形成してある。この突起５の形状としては、例えば図１に示すように、突き刺し部２周面の角度１２０°間隔ごとに長手方向に沿って突設した３つの楔によって形成してある。これによると、突き刺し部２の地面Ｇへの突き刺しによって楔状の突起５が地面Ｇに食い込み、突き刺し部２を地面Ｇから取り外すときには、かなりの力で強制的に引き抜かなければ容易には抜脱されない。
【００１９】
また、他の突起５の形状としては、例えば図５に示すように、突き刺し部２周面を長手方向に沿って巻き込むようにスクリュー状の突起５を形成しても良い。これによると、突き刺し部２は、回転させながら地面Ｇにねじ込まれ、突き刺し部２を地面Ｇから取り外すときには、ねじ込み方向とは逆方向に回転させることで容易に抜脱される。
【００２０】
さらに、他の突起５の形状としては、例えば図６に示すように、突き刺し部２周面の長手方向に沿って円錐状の突起５を例えば２段にして形成しても良い。これによると、突き刺し部２は、突き刺し部２の地面Ｇへの突き刺しによって円錐状の突起５の幅広部分が地面Ｇに食い込み、突き刺し部２を地面Ｇから取り外すときには、かなりの力で強制的に引き抜かなければ容易には抜脱されない。
【００２１】
さらにまた、他の突起５の形状としては、例えば図７に示すように、突き刺し部２周面の長手方向に沿って短目の楔状の突起５を例えば２段にして形成しても良い。これによると、突き刺し部２は、突き刺し部２の地面Ｇへの突き刺しによって楔状の突起５が地面Ｇに食い込み、突き刺し部２を地面Ｇから取り外すときには、かなりの力で強制的に引き抜かなければ容易には抜脱されない。
【００２２】
突き刺し部２の上部には、連結部材３の後述する固定下端部３ｃを一体状に連結するように大径にしたフランジ状の台座フランジ２ａを形成してある。また、この台座フランジ２ａ自体の上面にはボール載せ部４における下部が載置されるもので、地面Ｇに刺し止めされたゴルフボールＢの支持時には、連結部材３によってスライド案内されて下位に位置されるボール載せ部４を支持している。ボール載せ部４の下部は、台座フランジ２ａにおける段部形状に対応して段部状の空隙に形成することで突き刺し部２との安定した結合載置状態とし、ゴルフボールＢを安定的に支持できるように配慮してある。
【００２３】
ボール載せ部４における支持片４ｂは、図３（ａ）に示すように、当該ボール載せ部４の上部において平面視放射状に例えば８個設けられており、それぞれの外周面が必要があれば不図示の例えばリブを介して、ボール載せ部４の外周面に一体的に連結されている。すなわち、ボール載せ部４の外周面に８本のリブが一体的に形成されており、そのリブの上部が肉薄になりつつボール載せ部４の上部に突出していることによって好ましくは可撓性あるようにした、支持片４ｂを形成している。
【００２４】
ボール載せ部４は、柔軟で耐寒性、耐衝撃性、耐磨耗性に優れた高強度の透明な合成樹脂、例えばアイオノマー樹脂等で一体成型する。したがって、このボール載せ部４は透明である。ボール載せ部４を透明にしない場合には、例えばＥＶＡ、ナイロン（登録商標）等で成形することもできる。
【００２５】
また、ボール載せ部４は全体として略筒状であり、これの底部には連結部材３の後述するスライド部３ｄに通すための挿通孔４ｃが、また先端フランジ部３ａに係止当接可能な段部４ａそれぞれが形成されている。したがって、ボール載せ部４は図３（ｂ）に示すように、その下面が突き刺し部２の上面に当接しあるいは上記段部４ａが連結部材３の先端フランジ部３ａと当接する範囲内において、連結部材３に沿ってスライド可能となり、最上端スライド位置において当該連結部材３の先端フランジ部３ａをボール載せ部４の段部４ａに係止させる。尚、図中符号４ｄは摘み部であり、手指等によって地面Ｇに突き刺し部２にて強制的に突き止めるときの手指の滑り止めとなるようにやや小径に抉るようにすることでボール載せ部４の下部周囲に形成してある。
【００２６】
連結部材３は、柔軟で引っ張り強度の強い合成樹脂、例えばウレタン系エラストマー樹脂等で形成する。そして図３（ａ）および図３（ｂ）に示すように、突き刺し部２の上部に埋め込まれた断面略Ｔ字状の固定下端部３ｃと、これと一体のチューブ状のスライド部３ｄと、このスライド部３ｄの上端部分に形成された先端フランジ部３ａとを有している。また、連結部材３の先端フランジ部３ａの上部には、ゴルフボールＢを浮かした状態で支持しているボール載せ部４の支持片４ｂの内側において、さらにゴルフボールＢの最下部分の底面をしっかりと支持可能とするよう可撓性を有する内側支持片３ｂが当該先端フランジ部３ａと一体的に平面視放射状に複数設けられている。
【００２７】
また、ゴルフティー１の突き刺し部２、連結部材３、ボール載せ部４それぞれを互いに異なる色に施すことで、ゴルフティー１全体の装飾性を高めるようにしてある。例えば、突き刺し部２、ボール載せ部４それぞれを黒色もしくは白色とし、連結部材３を赤色としたり、あるいは突き刺し部２、連結部材３それぞれを黒色とし、ボール載せ部４を白色としたり、あるいは突き刺し部２を白色とし、連結部材３を緑色とし、ボール載せ部４を黄色としたりする等、その他、種々の色彩部材の組み合わせが採用可能である。
【００２８】
次に、以上のように構成された最良の形態についての製作方法、使用、動作の一例について説明する。上記した構成のゴルフティー１は、例えばインサート成形によって製作する。すなわち、先ず、図４に示すように、ボール載せ部４の挿通孔４ｃ４ｃに、柔軟で引っ張り強度の強い合成樹脂で形成された連結部材３のスライド部３ｄを挿入してから合致される上下一対の金型６のボール載せ部収納部７にボール載せ部４を収納し、金型６の連結部材固定部８で連結部材３のスライド部３ｄを固定する。そして、連結部材３の断面略Ｔ字状の固定下端部３ｃを突き刺し部形成用のキャビティ９内に臨ませ、該キャビティ９内に樹脂材注入口Ｒ（図中矢印で示す）を経て所定の合成樹脂材を注入して突き刺し部２の部分を形成する。このように、突き刺し部２と連結部材３とはインサート成形することにより連結部材３の付け根の強度アップと作業性とが向上される。
【００２９】
また、使用に際し、図１に示すように、突き刺し部２を地面Ｇに突き刺してゴルフティー１自体を地面Ｇに起立保持しておく。そして、ボール載せ部４にゴルフボールＢを載せると、当該ゴルフボールＢはボール載せ部４の支持片４ｂによって浮かされた状態で支持される。と同時に、ボール載せ部４の支持片４ｂの内側において、連結部材３の内側支持片３ｂにより、ゴルフボールＢの最下部分がしっかりと支持される。
【００３０】
そして、ティーショットの際には、図２に示すように、クラブＫによるゴルフボールＢの打撃でもって連結部材３が撓曲しながらボール載せ部４が当該連結部材３のチューブ状のスライド部３ｄに沿って上端側にスライドされ、連結部材３の先端フランジ部３ａがボール載せ部４の段部４ａに係止させられる。このときのゴルフボールＢは連結部材３の内側支持片３ｂから離反し、内側支持片３ｂ自体はボール載せ部４の底部側に退避されるようになってゴルフボールＢ自体は支持片４ｂのみで支持されたものとなる。
【００３１】
こうして、ティーショットの際の、ゴルフティー１による接触抵抗等を緩和してゴルフボールＢの飛距離が一層伸ばせるものとなり、また、ゴルフボールＢの打撃時に、ゴルフティー１の付け根部分が破壊されたり、ゴルフティー１自体が地面Ｇから引き抜かれて跳ね飛ばされ、紛失したりするのを防止できる。
【００３２】
また、突き刺し部２、連結部材３、ボール載せ部４等の組合せ・組立結合に際し、金属製部材は全く使用されていないから、これらがクラブＫによる打撃時に破壊され、分解されることがあってもクラブＫ特にそのヘッドを損傷させる虞れは皆無であり、安心してプレーできる。
【図面の簡単な説明】
【００３３】
【図１】本発明を実施するための最良の形態におけるゴルフティーの使用状態を示す斜視図である。
【図２】同じくショット時のゴルフティーの動作を示す斜視図である。
【図３】同じくゴルフティーの具体的な構成の一例を示すもので、（ａ）はボール載せ部にゴルフボールを載せた状態の断面図、（ｂ）はボール載せ部が連結部材に沿って上端位置までスライドされた状態の断面図である。
【図４】同じくゴルフティーをインサート成形によって製作する状態の断面図である。
【図５】同じくゴルフティーの突き刺し部の他例を示す斜視図である。
【図６】同じくゴルフティーの突き刺し部のさらに他例を示す斜視図である。
【図７】同じくゴルフティーの突き刺し部のさらに他例を示す斜視図である。
【符号の説明】
【００３４】
Ｂ…ゴルフボール                        Ｋ…クラブ
Ｇ…地面                                Ｒ…樹脂材注入口
１…ゴルフティー                        ２…突き刺し部
２ａ…台座フランジ                      ３…連結部材
３ａ…先端フランジ部                    ３ｂ…内側支持片
３ｃ…固定下端部                        ３ｄ…スライド部
４…ボール載せ部                        ４ａ…段部
４ｂ…支持片                            ４ｃ…挿通孔
４ｄ…摘み部                            ５…突起
６…金型                                ７…ボール載せ部収納部
８…連結部材固定部                      ９…キャビティ
【図１】
2007301267.tif 000003
【図２】
2007301267.tif 000004
【図３】
2007301267.tif 000005
【図４】
2007301267.tif 000006
【図５】
2007301267.tif 000007
【図６】
2007301267.tif 000008
【図７】
2007301267.tif 000009